(57)【特許請求の範囲】
【請求項１】
穀稈を刈り取る刈取部と、
前記刈取部の各装置に注油する潤滑油を貯留する注油タンクと、
前記注油タンクから前記潤滑油を吸引する注油ポンプと、
前記注油ポンプと前記注油タンクとを接続する吸引管と、
を備え、
前記注油タンクの底面は、前記刈取部の後方に近づくにつれて上側になるように傾斜している傾斜部を含み、
前記刈取部の前後方向において、前記注油ポンプは、前記注油タンクの前面より後側、かつ、前記注油タンクの後端よりも前側であって、前記傾斜部の後方に配置され、
前記注油ポンプの少なくとも一部は、前記注油タンクの底面の前記傾斜部の下側に配置されるとともに、前記注油タンクの下端より高い高さに配置され、
前記吸引管は、前記注油タンクの下部で前記注油タンクと前記注油ポンプとを接続することを特徴とするコンバイン。
【請求項２】
請求項１に記載のコンバインであって、
前記刈取部は、穀稈を掻き込むために循環駆動される掻込ベルトを備え、
前記掻込ベルトは、前低後高の傾斜状に配置され、
前記傾斜部は、前記掻込ベルトの軌跡の傾斜に沿って傾斜していることを特徴とするコンバイン。
【請求項３】
請求項１又は２に記載のコンバインであって、
前記傾斜部の後方であって、前記注油ポンプの脇の近傍に潤滑油フィルタが配置され、
前記吸引管は、前記注油タンクと前記潤滑油フィルタとを接続するとともに、前記潤滑油フィルタと前記注油ポンプとを接続し、
前記吸引管は、前記注油タンクから、前記注油タンクと前記注油ポンプと前記潤滑油フィルタとの何れより後方に延びた後反転し、前方に延びて前記注油ポンプに接続されることを特徴とするコンバイン。
【請求項４】
請求項１から３までの何れか一項に記載のコンバインであって、
前記刈取部の側部の上部を覆う上サイドカバーと、
前記刈取部の側部の下部を覆う下サイドカバーと、
を備え、
前記上サイドカバーには、前照灯が設置されており、
前記下サイドカバーは、前記前照灯の下方で前記刈取部の幅方向外側に膨出するように形成され、
前記注油タンク及び前記注油ポンプは、前記下サイドカバーの内部空間に配置されることを特徴とするコンバイン。
【請求項５】
請求項２に記載のコンバインであって、
前記注油ポンプと前記掻込ベルトとの間に位置する仕切部を備え、
前記注油ポンプ及び前記吸引管は、前記掻込ベルトより前記刈取部の幅方向外側に配置され、
前記吸引管は、前記仕切部を挟んで前記掻込ベルトと反対側に配置されていることを特徴とするコンバイン。
【発明の詳細な説明】
【技術分野】
【０００１】
本発明は、刈取部の各装置を潤滑する注油装置を備えたコンバインに関する。
【背景技術】
【０００２】
従来から、穀稈を刈り取る刈取部と、刈り取った穀稈を脱穀する脱穀部と、を備える収穫機としてのコンバインが知られている。一般に、コンバインの刈取部は、穀稈を刈り取る刈取刃や、刈り取った穀稈を脱穀部へ搬送するための搬送装置等を備えている。
【０００３】
このコンバインにおいて、刈取刃や搬送装置における発熱、騒音、摩耗等を抑制するために、刈取部の各装置へ注油して潤滑するための注油装置を備える構成が従来から提案されている。特許文献１及び２は、この種の注油装置を備えたコンバインを開示する。
【０００４】
特許文献１が開示するコンバインは、刈取部の機体の右側にサイドカバーを設け、このサイドカバーの内側に注油装置が配置され、注油路切換器をサイドカバーの後方に配設する構成となっている。特許文献１は、この構成により、オペレータが運転部から降りた状態で、各種装置への注油操作を行うことができるとする。
【０００５】
特許文献２が開示するコンバインは、刈取機（刈取部）の右フレームの近傍に、油タンク（注油タンク）と注油ポンプとを設け、これらを接続する吸油ホースを、刈取機の右側カバーの内側部に沿うとともに、油タンクの右側から注油ポンプの下部を経て、注油ポンプへ配策した構成となっている。特許文献２は、この構成により、吸油ホースを短くすることができるので、折れ曲がったり、「たくれ」が発生したりすることを防止できるとする。
【先行技術文献】
【特許文献】
【０００６】
【特許文献１】特開２００２−２７８２１号公報
【特許文献２】特開２００４−８１０７３号公報
【発明の概要】
【発明が解決しようとする課題】
【０００７】
特許文献１のコンバインにおいて、注油ポンプは、注油タンクの機体前側に配置されている。しかしながら、この構成においては、機体の走行に伴って刈取部の前方から入り込む穀稈が注油ポンプに当たり易くなり、注油ポンプが傷付き易い。また、特許文献１は、注油タンクの上部からパイプを注油タンク内に差し込み、パイプの端部を注油タンクの内底部近傍まで延ばして潤滑油を汲み出す構成となっているので、パイプの構成が複雑になってしまい、この点で改善の余地があった。
【０００８】
特許文献２の構成も、やはり特許文献１と同じように油タンクの上部からタンクホース（パイプ）を差し込む構成となっているので、タンクホースの構成が複雑になってしまっていた。また、特許文献２において、タンクホースは油タンクの前部上端側を通して注油ポンプへ配索されているので、刈取機の前方から入り込む穀稈や藁屑等が当該タンクホースに当たってタンクホースを傷付ける場合があった。
【０００９】
本発明は以上の事情に鑑みてされたものであり、その目的は、刈取部の各装置を潤滑する注油装置を備えたコンバインにおいて、簡単な構成で注油タンクの下部から潤滑油を吸引できるとともに、刈取部に取り込まれて刈り取られる穀稈及び藁屑等が注油ポンプ及び吸引管に当たらないレイアウトを実現することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成のコンバインが提供される。即ち、このコンバインは、刈取部と、注油タンクと、注油ポンプと、吸引管と、を備える。前記刈取部は、穀稈を刈り取る。前記注油タンクは、前記刈取部の各装置に注油するための潤滑油を貯留する。前記注油ポンプは、前記注油タンクから前記潤滑油を吸引する。前記吸引管は、前記注油ポンプと前記注油タンクとを接続する。前記注油タンクの底面は、前記刈取部の後方に近づくにつれて上側になるように傾斜している傾斜部を含む。前記刈取部の前後方向において、前記注油ポンプは、前記注油タンクの前面より後側、かつ、前記注油タンクの後端よりも前側であって、前記傾斜部の後方に配置されている。前記注油ポンプの少なくとも一部は、前記注油タンクの底面の前記傾斜部の下側に配置されるとともに、前記注油タンクの下端より高い高さに配置される。前記吸引管は、前記注油タンクの下部で前記注油タンクと前記注油ポンプとを接続する。
【００１２】
これにより、注油タンクが一種の遮蔽部材として作用するので、刈取部の前方から入り込む穀稈が注油ポンプに干渉することを回避でき、藁屑等が注油ポンプに当たることで注油ポンプを損傷することも回避できる。また、簡単な構成で、注油タンクの下部から潤滑油を吸引することができるとともに、藁屑等が吸引管に当たることも回避できる。そして、注油タンクの底面の傾斜部の下側であって、注油タンクの下端より高い部分の空間を利用して、注油ポンプを配置することができる。従って、注油ポンプと注油タンクとからなる注油装置の構成を小型化することができる。更に、吸引管の経路の高低差を小さくすることができるので、注油タンクの下部に接続している吸引管を介して潤滑油をより好適に吸引することができる。
【００１３】
前記のコンバインにおいては、以下の構成とすることが好ましい。即ち、前記刈取部は、穀稈を掻き込むために循環駆動される掻込ベルトを備える。前記掻込ベルトは、前低後高の傾斜状に配置される。前記傾斜部は、前記掻込ベルトの軌跡の傾斜に沿って傾斜している。
【００１４】
これにより、掻込ベルトと注油タンクとの干渉を回避しつつ、注油タンクの容量を大きく確保することができる。
【００１５】
前記のコンバインにおいては、以下の構成とすることが好ましい。即ち、前記傾斜部の後方であって、前記注油ポンプの脇の近傍に潤滑油フィルタが配置される。前記吸引管は、前記注油タンクと前記潤滑油フィルタとを接続するとともに、前記潤滑油フィルタと前記注油ポンプとを接続する。前記吸引管は、前記注油タンクから、前記注油タンクと前記注油ポンプと前記潤滑油フィルタとの何れより後方に延びた後反転し、前方に延びて前記注油ポンプに接続される。
【００１６】
これにより、吸引管により構成される経路を反転状に配置することで、刈取部の幅方向にコンパクトな構成で、注油タンクからの潤滑油の吸入及び異物の除去を行うことができる。
【００１７】
前記のコンバインにおいては、以下の構成とすることが好ましい。即ち、このコンバインは、前記刈取部の側部の上部を覆う上サイドカバーと、前記刈取部の側部の下部を覆う下サイドカバーと、を備える。前記上サイドカバーには、前照灯が設置されている。前記下サイドカバーは、前記前照灯の下方で前記刈取部の幅方向外側に膨出するように形成される。前記注油タンク及び前記注油ポンプは、前記下サイドカバーの内部空間に配置される。
【００１９】
前記のコンバインにおいては、以下の構成とすることが好ましい。即ち、このコンバインは、仕切部を備える。前記仕切部は、前記注油ポンプと前記掻込ベルトとの間に位置する。前記注油ポンプ及び前記吸引管は、前記掻込ベルトより前記刈取部の幅方向外側に配置される。前記吸引管は、前記仕切部を挟んで前記掻込ベルトと反対側に配置されている。
【００２０】
これにより、掻込ベルトと干渉しないように注油ポンプ及び吸引管を配置することができ、吸引管が掻込ベルトに巻き込まれることを回避できる。
【図面の簡単な説明】
【００２１】
【図１】本発明の一実施形態に係るコンバインを示す側面図。
【図２】コンバインの刈取部を示す正面図。
【図３】下サイドカバーを取り外した状態における注油タンクの周辺の構成を示す側面図。
【図４】注油タンクの周辺の構成を詳細に示す斜視図。
【図５】掻込装置、注油タンク、注油ポンプ、及び吸引パイプの位置関係を説明する、図３の矢印Ａ方向から見た斜視図。
【発明を実施するための形態】
【００２２】
以下、本発明の好適な実施形態について図面を参照しながら説明する。図１は、本発明の一実施形態に係るコンバイン１００を示す側面図である。図２は、コンバイン１００の刈取部１０を示す正面図である。図３は、下サイドカバー２４を取り外した状態における注油タンク３の周辺の構成を示す側面図である。なお、以下の説明で「左」及び「右」というときは、コンバイン１００の機体から前方に向かって左及び右を意味するものとする。
【００２３】
本実施形態のコンバイン１００は、いわゆる自脱型コンバインとして構成されている。図１に示すように、本実施形態のコンバイン１００は、稲、麦等の穀稈２を刈り取るための刈取部１０を機体本体の前方に備えている。また、コンバイン１００の機体の下部には、機体を走行させるためのクローラ部２０が設けられている。
【００２４】
刈取部１０の後方であって、コンバイン１００の左側には、刈取部１０で刈り取った穀稈２を脱穀するための脱穀装置３０と、当該脱穀装置３０で脱穀された穀粒を選別して取り出す選別装置４０と、が設けられている。
【００２５】
コンバイン１００の上部右側には、穀粒を貯留するためのグレンタンク５０が設けられている。選別装置４０で選別された穀粒は、図略のコンベア機構によりグレンタンク５０まで搬送され、当該グレンタンク５０に貯留される。また、コンバイン１００は、グレンタンク５０内の穀粒を外部に排出するための排出オーガ６０を備えている。
【００２６】
グレンタンク５０の前方には、オペレータが搭乗するための運転部７０が設けられている。運転部７０には、運転操作部７２、及びオペレータが座るための運転座席７３等が設けられている。オペレータは、運転操作部７２を操作することにより、コンバイン１００の刈取作業や走行等の各種の操作を行うように構成されている。
【００２７】
図２に示すように、刈取部１０は５条分の穀稈を刈り取ることができるように構成されており、引起装置２１と、分草板１１と、掻込装置２８と、搬送装置２３と、を備える。また、刈取部１０は、図１に示すように刈取刃２２を備えている。
【００２８】
引起装置２１は、刈取部１０の前部に配置されている。図２に示すように、引起装置２１は複数の引起タイン２１ａが設けられた引起ケース２１ｂを５条分備えている。引起装置２１は、倒伏した作物を拾い上げたり、穂先を一定の幅に収束させたりする引起し作業を行う。
【００２９】
分草板１１は、刈取部１０の前下部において、当該刈取部１０の幅方向に複数並べて設けられている。分草板１１は、穀稈２と穀稈２の間に差し込まれることにより、穀稈２を刈り取るべき幅を規定することができる。また、分草板１１は、倒れた状態の穀稈２をすくい上げることによって、当該穀稈２の刈取りを容易にする。
【００３０】
図２に示すように、掻込装置２８は、引起装置２１の後方下部に、刈取部１０の幅方向に複数並べて配置される。各掻込装置２８は、前低後高の傾斜状に配置されている。それぞれの掻込装置２８は掻込ベルトを備えており、引起装置２１によって起立させられた未刈穀稈の株元側を、掻込ベルトによって後方に掻き込むことができる。
【００３１】
図１に示すように、刈取刃２２は、分草板１１の後方に設けられている。この構成で、分草板１１の間に差し込まれ、掻込装置２８によって掻き込まれた穀稈２は、その根元付近が刈取刃２２によって切断され、刈り取られる。
【００３２】
刈取部１０によって刈り取られた穀稈２は、複数の搬送チェーン等により構成される搬送装置２３（図２）によって、脱穀装置３０まで搬送され、脱穀される。以上のように構成された自脱型のコンバイン１００を走行させながら刈取りを行うことで、圃場に生えている穀稈２を刈り取り、脱穀して穀粒を取り出すことができる。
【００３３】
刈取部１０は、図略の刈取昇降機構を介して、コンバイン１００の機体本体に連結されている。この刈取昇降機構は、油圧シリンダと、この油圧シリンダへの圧油の供給を切り換える電磁弁と、から構成され、刈取部１０を上下に昇降駆動することが可能に構成されている。これにより、圃場の傾斜等に応じて刈取部１０の高さを適切な高さに調整し、刈取りを適切に行うことができる。
【００３４】
続いて、本実施形態の刈取部１０の左右側部の構成を簡単に説明する。図２に示すように、刈取部１０は、左右１対の下サイドカバー２４と、左右１対の上サイドカバー２５と、を備える。
【００３５】
下サイドカバー２４には、左右側方外側に突出した略箱状に形成されており、刈取部１０の左側及び右側の下部を覆っている。上サイドカバー２５は、全体が平坦な板状に形成され、刈取部１０の左側及び右側の上部を覆っている。
【００３６】
下サイドカバー２４と上サイドカバー２５とは隣接して配置され、上サイドカバー２５は、下サイドカバー２４の上方に配置されている。なお、下サイドカバー２４は取外し可能な構成となっている。
【００３７】
下サイドカバー２４と上サイドカバー２５により、刈取部１０の左右側部の全域が覆われている。また、下サイドカバー２４は刈取部１０の幅方向外側に膨出するように形成されているので、上サイドカバー２５より、刈取部１０の左右外側へ突出している。下サイドカバー２４の膨出部分は中空状に形成され、この内部空間に、注油タンク３等の各種の部品を収容することができる。
【００３８】
上サイドカバー２５には、前照灯１３と、方向指示灯１４と、が設置されている。なお、方向指示灯１４は、車幅灯の機能も備えている。
【００３９】
図２に示すように、本実施形態の刈取部１０には、注油タンク３が設けられている。具体的には、注油タンク３は、刈取部１０の右下部に配置されている。注油タンク３の一部は、左右１対の上サイドカバー２５同士の間に位置する一方、残りの一部は、右側の下サイドカバー２４の内部に配置されている。言い換えれば、注油タンク３の一部は、刈取部１０の右端部に位置する引起ケース２１ｂの後側に配置され、残りの一部は、右側の下サイドカバー２４の内部に配置されている。
【００４０】
そして、当該注油タンク３は、図２に示すように、下サイドカバー２４の内部空間の上部に配置されている。即ち、注油タンク３は、一定の高さを有する位置に配置されている。これにより、湿田等で作業を行うとき、注油タンク３が水に浸かることを回避できる。
【００４１】
当該注油タンク３は、刈取部１０に備えられた各種の装置を潤滑するための潤滑油を貯留することができる。なお、この潤滑油が供給される装置としては、例えば、搬送装置２３の複数の搬送チェーン、掻込装置２８の掻込ベルト２８ａ、刈取刃２２、駆動力を伝達するための伝動軸やギア、チェーン等を挙げることができるが、これに限定されない。
【００４２】
刈取部１０は、刈取フレーム４１を備えている。この刈取フレーム４１には、分草板１１、刈取刃２２、掻込装置２８、及び搬送装置２３をはじめとした各種の装置が取り付けられている。
【００４３】
図３に示すように、刈取フレーム４１の左右両側の端部には、支持部材としての支持パイプ４２が固定される。支持パイプ４２は上下方向に延びるように配置されており、この支持パイプ４２に、上サイドカバー２５が適宜の固定具を介して固定される。また、下サイドカバー２４及び注油タンク３は、刈取フレーム４１及び支持パイプ４２に対し、適宜の固定具を介して取付け／取外し可能に固定される。
【００４４】
次に、注油装置の構成を詳細に説明する。図４は、注油タンク３の周辺の構成を詳細に示す斜視図である。図５は、掻込装置２８、注油タンク３、注油ポンプ５、及び吸引パイプ４の位置関係を説明する、図３の矢印Ａ方向から見た斜視図である。
【００４５】
図３等に示すように、本実施形態のコンバイン１００は、刈取部１０の各装置を潤滑するために、上記の注油タンク３のほか、吸引パイプ（吸引管）４と、注油ポンプ５と、潤滑油フィルタ６と、注油パイプ７と、を備えている。
【００４６】
吸引パイプ４は、注油タンク３と注油ポンプ５とを接続するように配置されている。この吸引パイプ４は、注油タンク３の下部から潤滑油を吸い込むために、図３に示すように注油タンク３の下部に接続されている。
【００４７】
注油ポンプ５は電動ポンプとして構成されており、その動作／停止は、オペレータが運転操作部７２に備えた図略の注油スイッチを操作することで行うことができる。なお、当該注油スイッチは、例えば刈取部１０の側面に配置されても良い。
【００４８】
吸引パイプ４が注油タンク３と注油ポンプ５とを接続する経路の中途部には、異物を取り除くための潤滑油フィルタ６が配置されている。これにより、潤滑油内の異物による注油ポンプ５の詰まり等を避けることができる。
【００４９】
注油パイプ７は、注油ポンプ５と刈取部１０の各装置とを接続し、潤滑油を注油ポンプ５から刈取部１０の各装置へ送るように配索されている。
【００５０】
この構成で、潤滑油は、吸引パイプ４を介して、注油タンク３から注油ポンプ５へ吸引され、注油パイプ７を介して、刈取部１０の各装置へ圧送される。
【００５１】
次に、本実施形態のコンバイン１００における、注油タンク３と、吸引パイプ４と、注油ポンプ５と、の位置関係について詳細に説明する。
【００５２】
先に、注油タンク３の形状について簡単に説明する。本実施形態において注油タンク３は、図３及び図４に示すように側面視で直角三角形に似た形状に構成され、垂直で平坦な前面を有する一方、後部においては上部が後方へ突出した形状となっている。注油タンク３の上面には、潤滑油を補給するための補給口３３が設けられている。
【００５３】
図４等に示すように、注油タンク３の底面３４は、第１平坦部３４ａと、第２平坦部３４ｂと、傾斜部３４ｃと、突出部３４ｄと、を有する。
【００５４】
第１平坦部３４ａは、注油タンク３が後方に突出した部分（後方突出部３２）の底面に相当する部分であって、ほぼ水平に形成されている。第１平坦部３４ａは、上記の支持パイプ４２に取り付けられた第１支持部材４３の上面に位置する。これにより、注油タンク３の後方突出部３２が第１支持部材４３によって受け止められる。
【００５５】
第２平坦部３４ｂは、注油タンク３の底面３４の前部に配置されており、ほぼ水平に形成されている。第２平坦部３４ｂは、適宜の固定具を介して刈取フレーム４１に固定された第２支持部材４５の上面に位置する。
【００５６】
傾斜部３４ｃは、第１平坦部３４ａより前方に配置され、刈取部１０の後方に近づくにつれて上側になるように傾斜している。なお、この傾斜部３４ｃの下方には、図３のＡ方向で見た斜視図である図５に示すように、刈取部１０の右端に位置する掻込装置２８において、穀稈２を掻き込むために循環駆動される掻込ベルト２８ａの軌跡が位置している。傾斜部３４ｃの傾斜は、この掻込ベルト２８ａの軌跡の傾斜にほぼ沿っている。これにより、掻込装置２８と注油タンク３との干渉を回避しつつ、注油タンク３の容量を大きく確保することができる。
【００５７】
突出部３４ｄは、第２平坦部３４ｂより刈取部１０の幅方向外側に配置され、第２平坦部３４ｂより下側に突出するように形成されている。この突出部３４ｄは、図５に示すように、機体の右端に位置する掻込装置２８（掻込ベルト２８ａの軌跡）より刈取部１０の幅方向外側に配置されている。
【００５８】
注油タンク３の上部は、バンド状に形成された固定具４６により固定されている。これにより、注油タンク３を、図４に示す第１支持部材４３、第２支持部材４５、固定具４６等によって取り付けることができる。
【００５９】
続いて、注油タンク３と、吸引パイプ４と、注油ポンプ５と、の位置関係について詳細に説明する。
【００６０】
吸引パイプ４は、図３に示すように、注油タンク３の下部に配置された供給口３１に接続されている。供給口３１は、注油タンク３の底部であって、底面３４に突出部３４ｄが設けられている部分の背面から後方に突出するように一体形成された筒状部の先端に開口されている。この供給口３１は、注油タンク３の外部に開口されるとともに、筒状部の内部の空間を介して注油タンク３の内部と繋がっている。この筒状部（供給口３１）には吸引パイプ４の一端が固定されている。
【００６１】
吸引パイプ４は、４本のパイプ（管部材）、具体的には、第１パイプ４ａ、第２パイプ４ｂ、第３パイプ４ｃ及び第４パイプ４ｄから構成されている。
【００６２】
第１パイプ４ａの一端は、注油タンク３において突出部３４ｄが設けられている部分（供給口３１）に接続され、他端は、潤滑油フィルタ６の前部に接続している。第１パイプ４ａは可撓性を有しており、供給口３１と接続する部位から、平面視で刈取部１０の幅方向内側に若干寄せられつつ後方に延び、注油ポンプ５の脇を通過して潤滑油フィルタ６の前部に接続されるように配置されている。
【００６３】
第２パイプ４ｂの一端は、潤滑油フィルタ６の後部に接続され、他端は、潤滑油フィルタ６の後方に配置された第３パイプ４ｃに接続されている。第２パイプ４ｂは可撓性を有しており、前後方向に延びるように配置されている。
【００６４】
第３パイプ４ｃは、側面視で反転部を有する横向きＵ字状に形成されている。第３パイプ４ｃは変形しにくい材料で構成されており、その上側の端部には第２パイプ４ｂが接続され、下側の端部には第４パイプ４ｄが接続される。第３パイプ４ｃが備える反転部は、注油タンク３、潤滑油フィルタ６、及び注油ポンプ５の何れよりも後方に位置している。
【００６５】
第４パイプ４ｄの一端は、第３パイプ４ｃの下側の端部に接続され、他端は、注油ポンプ５の下部背面に形成された図略の吸入ポートに接続される。第４パイプ４ｄは可撓性を有しており、第３パイプ４ｃと接続する部位から、平面視でＳ字状に曲げられて刈取部１０の幅方向外側に若干寄せられつつ前方に延び、注油ポンプ５の前記吸入ポートに接続するように配置されている。
【００６６】
このような吸引パイプ４の構成により、注油タンク３の下部背面から注油ポンプ５の脇を通過して後方に（ほぼ水平に）延びた後、下へ湾曲して１８０°反転し、前方に延びて注油ポンプ５の下部背面に接続する吸引経路が構成される。
【００６７】
なお、本実施形態では、上記のように注油タンク３と注油ポンプ５が互いに近接して配置されているため、潤滑油フィルタ６を配置するスペースを注油タンク３と注油ポンプ５の間に確保することが困難である。従って、本実施形態においては、潤滑油フィルタ６を注油ポンプ５の脇の近傍に配置するとともに、吸引パイプ４により構成される経路を上記のように迂回状及び反転状に配置することで、刈取部１０の幅方向にコンパクトな構成で、注油タンク３からの潤滑油の吸入及び異物の除去を行うことができる。
【００６８】
注油ポンプ５の前部に形成された図略の吐出ポートには、注油パイプ７が接続されている。この注油パイプ７は、図４に示すように、注油ポンプ５との接続箇所から前方に延び、注油タンク３の底部前側を迂回して、刈取部１０の幅方向内側へ更に延びた後、図示しない分岐部で分岐している。分岐されたそれぞれの端部は、注油すべきそれぞれ部位の近傍に配置されており、潤滑油を供給することができる。
【００６９】
以上により、注油タンク３に貯留された潤滑油を注油ポンプ５により好適に吸引して、各部位に圧送して注油することができる。
【００７０】
注油ポンプ５は、図３に示すように、刈取部１０の前後方向において、注油タンク３の前面より後側に配置されている。また、注油ポンプ５は、注油タンク３の底面３４の傾斜部３４ｃの直下方に配置されている。更に言えば、注油ポンプ５の一部（前側のほぼ半部）が、傾斜部３４ｃの下側に配置されるとともに、注油タンク３の下端（突出部３４ｄの下端）よりも高い高さに配置されている。
【００７１】
このようにすることで、刈取部１０で刈り取られる直前の穀稈２から見たときに、注油ポンプ５（特に、注油ポンプ５の上部及び前部）が注油タンク３によって遮蔽されるようなレイアウトが実現されている。これにより、注油ポンプ５を、刈取部１０の前側から入り込む穀稈２や藁屑などに当たらないように好適に保護することができる。
【００７２】
注油ポンプ５は、図５に示すように、刈取部１０の幅方向において注油タンク３より若干外側に配置されている。即ち、注油ポンプ５は、機体の右端に位置する掻込装置２８より右側に配置されている。これにより、注油ポンプ５と掻込装置２８との干渉を回避することができる。
【００７３】
また、注油ポンプ５は、図３に示すように、その底部（下端）が、注油タンク３の底面３４の突出部３４ｄの下端とほぼ同じ高さになるように配置されている。なお、注油タンク３は、上述したように、下サイドカバー２４の内部空間の上部に配置されている。これにより、注油ポンプ５をある程度高い位置に配置できるので、例えば水たまりがある圃場を走行する場合でも、注油ポンプ５が水に浸かることを回避できる。
【００７４】
上記で説明したように、吸引パイプ４が注油タンク３の後面下部に接続され、また、注油ポンプ５も注油タンク３の後側下部に配置されているので、吸引パイプ４の配置をコンパクト化することができる。また、吸引パイプ４を注油タンク３の後側に配置することができるので、刈取部１０の前側から入り込む穀稈２や藁屑などが当たることによる吸引パイプ４の傷付きを防止することができる。
【００７５】
そして、突出部３４ｄは、上記で説明したように、機体の右端に位置する掻込装置２８より刈取部１０の幅方向外側に配置されている。従って、当該突出部３４ｄに接続された吸引パイプ４が、機体の右端に位置する掻込装置２８に当たることを防止することができる。
【００７６】
更に、吸引パイプ４が、注油タンク３の底部において突出部３４ｄが形成されている部分にほぼ水平に接続されるとともに、注油ポンプ５の底部と注油タンク３の突出部３４ｄの底部とがほぼ同じ高さに位置している。従って、吸引パイプ４による注油タンク３と注油ポンプ５との接続経路を、高さ方向にコンパクトな空間内に配置することができる。
【００７７】
これにより、注油ポンプ５が吸引パイプ４を介して好適に注油タンク３から潤滑油を吸引することができる。
【００７８】
刈取部１０においては、図５に示すように、吸引パイプ４と、右端に位置する掻込装置２８と、の間に仕切部材４７が配置されている。当該仕切部材４７は、適宜の固定具を介して刈取フレーム４１に固定されている。
【００７９】
仕切部材４７は、図３に示すように、細長い板状に形成され、その厚み方向が刈取部１０の幅方向と一致するように配置された仕切部を有している。この仕切部は、その長手方向が刈取部１０の前後方向に沿うように配置されている。
【００８０】
吸引パイプ４の中途部（具体的には、第１パイプ４ａ及び第２パイプ４ｂ）は、仕切部材４７の仕切部の近傍（仕切部よりも刈取部１０の幅方向外側）を通過するように配置される。また、当該中途部は、その長手方向が仕切部の長手方向に沿うように配置されており、当該仕切部において刈取部１０の幅方向外側を向く面に、図略の固定部材を介して固定されている。これにより、右端に位置する掻込装置２８に吸引パイプ４が巻き込まれて傷付くことを一層確実に回避することができる。
【００８１】
仕切部材４７には、吸引パイプ４を覆うためのパイプカバー（カバー部材）４８が固定されている。なお、図面では、吸引パイプ４等の構成を分かり易く示すために、パイプカバー４８は鎖線で透視的に示されている。このパイプカバー４８は、前記仕切部の上端から刈取部１０の幅方向外側に突出して吸引パイプ４の後部（第３パイプ４ｃ等）の上方を覆うとともに、下方に折り曲げられて、吸引パイプ４の後部よりも刈取部１０の幅方向外側を覆うように配置されている。これにより、吸引パイプ４を外部の衝撃から保護することができる。
【００８２】
以上に説明したように、本実施形態のコンバイン１００は、刈取部１０と、注油タンク３と、注油ポンプ５と、吸引パイプ４と、を備える。刈取部１０は、穀稈２を刈り取る。注油タンク３は、刈取部１０の各装置に注油するための潤滑油を貯留する。注油ポンプ５は、注油タンク３から潤滑油を吸引する。吸引パイプ４は、注油ポンプ５と注油タンク３とを接続する。刈取部１０の前後方向において、注油ポンプ５は、注油タンク３の前面より後側に配置されている。吸引パイプ４は、注油タンク３の下部において外部に開口された供給口３１に接続され、その接続部分から後方へ延びている。
【００８３】
これにより、注油タンク３が一種の遮蔽部材として作用するので、刈取部１０の前方から入り込む穀稈２が注油ポンプ５に干渉することを回避でき、藁屑等が注油ポンプ５に当たることで注油ポンプ５を損傷することも回避できる。また、簡単な構成で、注油タンク３の下部から潤滑油を吸引することができるとともに、藁屑等が吸引パイプ４に当たることも回避できる。
【００８４】
また、本実施形態のコンバイン１００において、注油タンク３の底面３４は傾斜部３４ｃを含む。傾斜部３４ｃは、刈取部１０の後方に近づくにつれて上側になるように傾斜している。注油ポンプ５の少なくとも一部は、注油タンク３の底面３４の傾斜部３４ｃの下側に配置されるとともに、注油タンク３の下端（突出部３４ｄの下端）より高い高さに配置されている。
【００８５】
これにより、注油タンク３の底面３４の傾斜部３４ｃの下側であって、注油タンク３の下端より高い部分の空間を利用して、注油ポンプ５を配置することができる。従って、注油ポンプ５と注油タンク３とからなる注油装置の構成を小型化することができる。
【００８６】
また、本実施形態のコンバイン１００において、刈取部１０は、下サイドカバー２４を備える。下サイドカバー２４は、刈取部１０の幅方向外側に膨出するように形成され、刈取部１０の側部を覆う。注油タンク３は下サイドカバー２４の内部空間の上部に配置されている。注油ポンプ５の下端が注油タンク３の下端と略同じ高さに位置する。
【００８７】
これにより、注油タンク３及び注油ポンプ５を相対的に高い位置に配置できるので、例えば湿田で走行するとき、注油タンク３及び注油ポンプ５が水に浸かることを回避できる。そして、吸引パイプ４の経路の高低差を小さくすることができるので、注油タンク３の下部に接続している吸引パイプ４を介して潤滑油をより好適に吸引することができる。
【００８８】
また、本実施形態のコンバイン１００において、刈取部１０は掻込装置２８を備える。掻込装置２８は、穀稈２の株元を掻き込む。注油ポンプ５及び吸引パイプ４は、掻込装置２８より刈取部１０の幅方向外側に配置されている。
【００８９】
これにより、掻込装置２８と干渉しないように、注油ポンプ５及び吸引パイプ４を配置することができる。
【００９０】
また、本実施形態のコンバイン１００が備える仕切部材４７は、仕切部を有している。仕切部は、注油ポンプ５と掻込装置２８との間に位置する。吸引パイプ４は、仕切部を挟んで掻込装置２８と反対側に配置されている。
【００９１】
これにより、吸引パイプ４が掻込装置２８に巻き込まれて損傷することを回避できる。
【００９２】
以上に本発明の好適な実施の形態を説明したが、上記の構成は例えば以下のように変更することができる。
【００９３】
注油タンク３の供給口３１は、注油タンク３の下部に一体形成された筒状部に形成することに限定されない。例えば、注油タンク３の下部背面に貫通孔を開口させて供給口とし、この供給口から吸引パイプ４の端部を注油タンク３の内部へ差し込むように構成しても良い。
【００９４】
注油ポンプ５を注油タンク３の下部（突出部３４ｄが形成されている部分）から若干後方へ離して配置するとともに、注油タンク３の下部と注油ポンプ５の間に潤滑油フィルタ６を配置して、突出部３４ｄと、潤滑油フィルタ６と、注油ポンプ５と、を直線状の吸引パイプ４により接続しても良い。
【００９５】
注油パイプ７は、注油タンク３の前方を迂回するように配置されることに代えて、注油タンク３の後方を通過するように配置されても良い。
【００９６】
注油タンク３は、上記で説明したように底面３４に傾斜部３４ｃ等を有する場合に限定せず、適宜の形状とすることができる。
【００９７】
注油タンク３及び注油ポンプ５は下サイドカバー２４の内部に配置する構成に限定せず、他の適宜の場所に配置しても良い。
【符号の説明】
【００９８】
３  注油タンク
４  吸引パイプ（吸引管）
５  注油ポンプ
１０  刈取部
２４  下サイドカバー（膨出カバー）
２８  掻込装置
３１  供給口（開口部）
３４  注油タンクの底面
３４ｃ  傾斜部
４７  仕切部材（仕切部を有する部材）
【図１】
0006282987.tif 000002
【図２】
0006282987.tif 000003
【図３】
0006282987.tif 000004
【図４】
0006282987.tif 000005
【図５】
0006282987.tif 000006